(57)【要約】【課題】状況に合わせて沈降態様や泳動姿勢に変化を付け得るルアーを提供する。【解決手段】ルアーは、魚釣りに用いるルアーであって、孔部６を有する中実のルアー本体１と、孔部６の開口を開閉自在に塞ぐスライド板７とを備える。そして、孔部６はルアー本体１を貫通する孔であり、スライド板７は孔部６の一方の開口を開閉自在に塞いでいる。【選択図】図１
2006280381.tif 000002
【特許請求の範囲】
【請求項１】
魚釣りに用いるルアーであって、
孔部を有する中実のルアー本体と、
前記孔部の開口を開閉自在に塞ぐ蓋部材と
を備え、
前記孔部は前記ルアー本体を貫通する孔であり、前記蓋部材は前記孔部の一方の開口を開閉自在に塞いでいる、
ルアー。
【請求項２】
複数の前記孔部が前記ルアー本体の長手方向に並んで設けられている、
請求項１に記載のルアー。
【請求項３】
前記蓋部材は、前記ルアー本体の長手方向にスライド自在に設けられている、
請求項１または２に記載のルアー。
【請求項４】
魚釣りに用いるルアーであって、
雄ねじ部分を有する中実の第１本体と、
前記雄ねじ部分に螺合するねじ穴を有する中実の第２本体と、
前記雄ねじ部分の頭端又は前記ねじ穴の開口縁に埋め込まれているゴムリングと、
を備えたルアー。
【発明の詳細な説明】
【技術分野】
【０００１】
本発明は魚釣りに用いるルアーに関する。
【背景技術】
【０００２】
従来のルアーは、魚やエビなどの魚餌に外形を似せたルアー本体を有し、このルアー本体に釣糸を係止するための釣糸係止部や釣針を連結するための釣針連結部などを有している。釣り人は、このルアーに釣針や釣糸を連結し、ルアーを水中に投じて魚を釣り上げるのである。
【０００３】
このようなルアーはその浮力及び沈降速度を調整するために、様々な工夫が施されている。例えば、ルアー本体自体を比重の大きい金属で形成してルアーの沈降速度を大きくするもの、ルアー本体内部に錘を配置するもの、さらには、中空のルアー本体内部に移動可能に錘を配置してルアーの状態に応じて重心を変化させるもの等が知られている（特許文献１および２参照）。
【特許文献１】特開平９−１１２号公報
【特許文献２】特開平９−２４８０９９号公報
【発明の開示】
【発明が解決しようとする課題】
【０００４】
このような従来のルアーの浮力や沈降態様は、およそ取り付けられている錘若しくはルアー本体自体の重さによって左右されるものであり、状況に応じて沈降姿勢や沈降速度若しくは水中での浮力を変えることが難しかった。このため、状況に応じて沈降速度などを変化させたい場合には、ルアーそのものを交換して釣りを行っているのが現状である。
【０００５】
しかし、一々状況に応じてルアーを交換するのは煩雑であり、釣り場への荷物も増えることになる。１つのルアーで沈降態様等を状況に合わせて変化させ得るものが有れば便利である。
【０００６】
本発明の課題は、状況に合わせて沈降態様や泳動姿勢に変化を付けることができるルアーを提供することにある。
【課題を解決するための手段】
【０００７】
発明１のルアーは、魚釣りに用いるルアーであって、孔部を有する中実のルアー本体と、孔部の開口を開閉自在に塞ぐ蓋部材とを備える。そして、孔部はルアー本体を貫通する孔であり、蓋部材は孔部の一方の開口を開閉自在に塞いでいる。
【０００８】
このルアーでは、釣り場の状況にあわせて、蓋部材によってルアー本体の孔部を開閉する。孔部を開口させた状態で釣りを行えば孔部内に水が侵入し、孔部を閉じた状態で釣りを行えば孔部内は空洞のままとなる。これにより、ルアー本体の比重が変化し、ルアー本体の沈降速度や泳動姿勢が変化することになる。また、このルアーでは、ルアー本体の孔部がルアー本体を貫通しており、蓋部材で一方の開口を開いた状態では容易に孔部内に水が侵入する。また、使用後の孔部内からの水の排水も容易になる。
【０００９】
発明２のルアーは、発明１のルアーであって、複数の孔部がルアー本体の長手方向に並んで設けられている。
【００１０】
発明３のルアーは、発明１または発明２のルアーであって、蓋部材は、ルアー本体の長手方向にスライド自在に設けられている。
【００１１】
発明４のルアーは、魚釣りに用いるルアーであって、雄ねじ部分を有する中実の第１本体と、雄ねじ部分に螺合するねじ穴を有する中実の第２本体と、雄ねじ部分の頭端又はねじ穴の開口縁に埋め込まれているゴムリングとを備える。
【００１２】
このルアーは、第１本体の雄ねじ部分の第２本体に対する螺合の程度を変化させることにより、ルアー全体の比重を調整する。即ち、第１本体の雄ねじ部分を第２本体に十分に螺合させれば、ねじ穴の残りとして第２本体内に生じる空隙がなくなり、ルアーの浮力が小さくなる。一方、第１本体の雄ねじ部分の第２本体への螺合程度を小さくすれば、ねじ穴の残りとして第２本体内に生じる空隙は大きくなり、ルアーの浮力が大きくなる。このようにして、状況に応じてルアーの浮力を調整可能となる。
【発明の効果】
【００１３】
本発明に係るルアーでは、状況に合わせて沈降態様や泳動姿勢に変化を付けることができる。
【発明を実施するための最良の形態】
【００１４】
以下、本発明の第１実施形態について図面を参照しつつ説明する。
【００１５】
本発明の第１実施形態を採用したルアーは、図１に示すように、外形を小エビに似せて形成した中実のルアー本体１を有する。そして、ルアー本体１の頭部側下面には錘２が装着され、頭部側端部には釣糸を係止するためのリング状のアイ（釣糸係止部）３が設けられている。また、ルアー本体１の尾部側端部にはルアー本体１の周方向に並んで複数の釣針が配置された針山４が装着される。
【００１６】
ルアー本体１は、左右一対の半割部材を貼り合わせて形成され、又は、いわゆる射出成形によって形成される合成樹脂製部材、若しくは金属製の部材である。表面は外形をエビに似せるための様々な模様等が施される。例えば、頭部には目を設け、羽根５を取り付けてもよい。このルアー本体１の尾部側の下半身部分には腹側から背側にかけて孔部６が貫通している。孔部６は、上述の半割部材の開口面において形成され半割部材を開口面で張り合わせて形成される。図１に示すように複数個設けることも可能であり、１つのみ設けるものでもよい。特に、孔部６は腹部側が大径で、背部側に於いては比較的小径となるように加工される。また、孔部６は腹部側から背部側にかけて直線上に貫通するものでも良いが、図１に示すように、ルアー本体１内部で折れ曲がるように形成してもよい。
【００１７】
図２に詳しく示すように、ルアー本体１の尾部側の下半身部分の腹側には、左右側部にそれぞれ長手方向に延びるレール溝１ａが形成されている。このレール溝１ａは上述の孔部６の腹部側の開口付近から頭部側に延びている。そして、レール溝１ａ上をルアー本体１の長手方向に移動自在なスライド板７が配置されている。スライド板７は幅方向両側縁が折り返されレール溝１ａに係止されている板状部材である。レール溝１ａ上をスライド移動して孔部６の腹部側の開口を開閉する。
【００１８】
このように構成されるルアーは、釣り場の状況にあわせて、スライド板７をルアー本体１の長手方向にスライド移動させて、孔部６を開閉して用いられる。孔部６を開口させた状態で釣りを行えば、ルアーが水中に投じられた後に孔部６内に水が侵入する。孔部６を閉じた状態で釣りを行えば、背部側において孔部６は外部に連通しているものの、腹部側の開口が閉じられており孔部６内の空気が逃げにくく孔部６内は空洞のままとなる。これにより、ルアー本体の比重が変化し、ルアー本体の沈降速度や泳動姿勢が変化する。また、釣りを終えた場合には、ルアー本体１を貫通している孔部６から容易に水が排水できる。
【００１９】
［第２実施形態］
以下、本発明の第２実施形態について図面を参照しつつ説明する。
【００２０】
図３に示すように、本発明の第２実施形態を採用したルアーは、外形をエビなどの頭に似せて形成した頭部２１と、外形をエビなどの体に似せて形成した胴部２６とを有する。これら頭部２１及び胴部２６はそれぞれ第１実施形態と同様に中実の部材である。そして、頭部２１の頭部のアイ２３、胴部２６の錘２２，針山２４等についても第１実施形態と同様である。
【００２１】
頭部２１は、外形を頭に似せた釣鐘型部材であり、胴側の端面には長手方向に凹入するねじ穴２１ａが形成されている。このねじ穴２１ａはできるだけ大きめに形成するのが好ましい。一方、胴部２６の首側の端面には、上述のねじ穴２１ａに螺合するための雄ねじ部分２６ａが頭側に突出して形成されている。そして、この雄ねじ部分２６ａの頭端には必要に応じてゴム性のリングが配置され埋め込まれている。
【００２２】
この頭部２１と胴部２６とは、胴部２６の雄ねじ部分２６ａを完全に頭部２１のねじ穴２１ａに螺合させた場合には、外形が連続して１つのエビになるように形成される。なお、雄ねじ部分２６ａが外部から見えないように、頭部２１の胴側に延びるフランジなどを設けてもよく、鉛筆に対するキャップのような状態で頭部２１と胴部２６とが螺合するような形態にしてもよい。
【００２３】
このように構成されたルアーは、胴部２６の頭部２１に対する螺合の程度を変化させることにより、ルアー全体の比重を調整可能である。即ち、雄ねじ部分２６ａをねじ穴２１ａ十分に螺合させれば、ねじ穴２１ａの残りとして頭部２１の内部に生じる空隙がなくなり、ルアーの浮力が小さくなる。一方、雄ねじ部分２６ａのねじ穴２１ａへの螺合程度を小さくすれば、ねじ穴２１ａの残りとして頭部２１内に生じる空隙は大きくなり、ルアー全体の浮力が大きくなる。
【００２４】
［第３実施形態］
以下、本発明の第３実施形態として、上記第２実施形態の変形例を示す。
【００２５】
図４に示すように、本発明の第３実施形態を採用したルアーは、外形をエビなどに似せて形成したルアー本体３１と、ルアー本体３１の尾部側端部を形成する尾部３６とを有する。これらルアー本体３１及び尾部３６はそれぞれ第２実施形態と同様に中実の部材である。そして、ルアー本体３１のアイ３３，錘３２、尾部３６に取り付けられている針山３４についても同様である。
【００２６】
このルアー本体３１の尾部側の端面には長手方向に凹入するねじ穴３１ａが形成されている。一方、尾部３６の本体側端面には、上述のねじ穴３１ａに螺合するための雄ねじ部分３６ａが突出して形成されている。そして、ねじ穴３１ａの開口縁にはゴムリングなどが必要に応じて取り付けられる。
【００２７】
このように構成されたルアーでも、第２実施形態と同様にして、ルアー全体の比重を変化させることが可能となる。
【００２８】
［他の実施形態］
（ａ）上述の第１実施形態においては、ルアー本体１を形成する半割部材の開口面において孔部６を形成しているが、ルアー本体１を射出成形などした場合には、ルアー本体１を成形後に外部から削り掘って孔部６を形成することも当然に可能である。
【００２９】
また、孔部６をルアー本体１に対して貫通するように形成せず、一方向にのみに於いて外部と連通しているものとしてもよい。この場合には、スライド板７は当然に外部と連通する開口を開閉することになる。
（ｂ）第１実施形態ではスライド板７を用いて孔部６を塞いでいるが、その他、円筒型の栓を用意して、これで孔部６を直接塞いでしまうような方法を採用することも可能である。
（ｃ）錘の形状などは上記実施形態に限定されるものではなく、水流を適当に受ける為に様々な形に変形可能である。
（ｄ）図５に示すように、外形を魚に似せて形成するルアーにおいて、上半身側を構成する第１ルアー本体４１と、下半身側の構成する第２ルアー本体４２とを形成し、これをねじ式に螺合させることで浮力調整することも可能である。
【００３０】
例えば、この第１ルアー本体４１及び第２ルアー本体４２はそれぞれ鉄や鉛などの金属から構成される。第１ルアー本体４１は下半身側端面から頭部方向に凹入する大きな空間が形成され、この空間内に尾部側に突出する柱状の雄ねじ部分４１ａを有する。一方の、第２ルアー本体４２は上述の第１ルアー本体４１の空間内に収納可能な大きさで形成され、上半身側端面から尾部方向に凹入するねじ穴４２ａを有している。
【００３１】
このような、第１ルアー本体４１と第２ルアー本体４２との螺合の程度を調整することで、ルアー全体の長手方向長さを調整すると共に、第２ルアー本体４２内の空間（ねじ穴４２ａの螺合の残り空間）を変化させてルアー全体の浮力調整も可能となる。
【産業上の利用可能性】
【００３２】
本発明では、状況に合わせて沈降態様や泳動姿勢に変化を付けることができる効果を有し、ルアーとして有用である。
【図面の簡単な説明】
【００３３】
【図１】本発明の第１実施形態を採用したルアーを示した図。
【図２】図１のII−II断面図。
【図３】本発明の第２実施形態を採用したルアーを示した図。
【図４】本発明の第３実施形態を採用したルアーを示した図。
【図５】本発明の他の実施形態を採用したルアーを示した図。
【符号の説明】
【００３４】
１，３１  ルアー本体
６  孔部
７  スライド板（蓋部材）
２１  頭部
２６  胴部
３６  尾部
【図１】
2006280381.tif 000003
【図２】
2006280381.tif 000004
【図３】
2006280381.tif 000005
【図４】
2006280381.tif 000006
【図５】
2006280381.tif 000007